(57)【要約】【課題】作業者の熟練度合いが低くても簡単に製造することができる釣竿用竿体とそれを用いた釣竿を提供する。【解決手段】プリプレグから筒状に形成された本体層を備え、該本体層には、前後の部分の勾配よりも急勾配で後側に向けて内外径共に拡径する急拡径部が存在している釣竿用竿体であって、本体層は、一体的に加熱焼成された前後二つの筒状部から構成され、該前後二つの筒状部のうち、一方の筒状部は、径の変化が相対的に小さい小変化筒状部であり、他方の筒状部は、径の変化が相対的に大きい大変化筒状部であり、小変化筒状部は、プリプレグ７５が複数回巻きとされた構成であり、大変化筒状部は、プリプレグ７３が一回巻きとされた層が複数層積層された構成である。【選択図】図４
2014132857.tif 000002
【特許請求の範囲】
【請求項１】
プリプレグから筒状に形成された本体層を備え、該本体層には、前後の部分の勾配よりも急勾配で後側に向けて内外径共に拡径する急拡径部が存在している釣竿用竿体であって、
本体層は、一体的に加熱焼成された前後二つの筒状部から構成され、該前後二つの筒状部のうち、一方の筒状部は、径の変化が相対的に小さい小変化筒状部であり、他方の筒状部は、径の変化が相対的に大きい大変化筒状部であり、小変化筒状部は、プリプレグが複数回巻きとされた構成であり、大変化筒状部は、プリプレグが一回巻きとされた層が複数層積層された構成であることを特徴とする釣竿用竿体。
【請求項２】
小変化筒状部と大変化筒状部が互いに前後にオーバーラップしており、該オーバーラップ部が急拡径部に位置している請求項１記載の釣竿用竿体。
【請求項３】
オーバーラップ部において、大変化筒状部が径方向内側に位置し、小変化筒状部が径方向外側に位置している請求項２記載の釣竿用竿体。
【請求項４】
急拡径部より前側の部分である小径部と急拡径部より後側の部分である大径部のうち一方の部分が他方の部分よりも長く、一方の部分の方が小変化筒状部として構成され、他方の部分の方が大変化筒状部として構成されている請求項１乃至３の何れかに記載の釣竿用竿体。
【請求項５】
大変化筒状部を構成するプリプレグには、小変化筒状部側の端部から竿軸方向に延びる切り込み線が形成されている請求項１乃至４の何れかに記載の釣竿用竿体。
【請求項６】
請求項１乃至５の何れかに記載の釣竿用竿体を備えた釣竿。
【発明の詳細な説明】
【技術分野】
【０００１】
本発明は、釣竿用竿体とそれを備えた釣竿に関する。
【背景技術】
【０００２】
例えば、竿元部にグリップ部を備える場合、コルクや発泡樹脂から筒状のグリップ部を形成し、それをプリプレグから筒状に形成された竿体の後部外周面に装着して構成することが多い。しかしながら、グリップ部を竿体とは別体構成とする場合には軽量化が困難となる。
【０００３】
これに対して、下記特許文献１のように、竿体の後部を急勾配で拡径させてグリップ部を一体的に形成する構成がある。この場合、竿体の形状に合わせたマンドレルにプリプレグを複数回巻回することによって、大径のグリップ部を含めて一体的に竿体を形成することができるため、軽量化には有利である。しかしながら、プリプレグをマンドレルに巻回する際に、急勾配で拡径するテーパ部等においてプリプレグにシワが生じやすいという問題があり、このシワを発生させないようにしながらプリプレグを巻回することは困難な作業となり、作業者に高い熟練度が要求された。
【０００４】
尚、下記特許文献２，３のように、急勾配で拡径するテーパ部の前側に位置する小径の竿本体を予め加熱焼成して形成しておき、その竿本体をテーパ部用のマンドレルの前端部に嵌合し、竿本体の後端部を覆うようにしながらテーパ部用のマンドレルにプリプレグを巻回するという手法もある。しかしながら、竿本体を予め加熱焼成して形成しておく必要があるので、製造が複雑になるうえに、上述したのと同様にテーパ部用のマンドレルにプリプレグを複数回巻回する際にプリプレグにシワが発生しやすく、作業には熟練が必要である。
【先行技術文献】
【特許文献】
【０００５】
【特許文献１】実開昭５９−１８２１７３号公報
【特許文献２】特開昭６０−１２０９３０号公報
【特許文献３】特開昭６０−２３７９２９号公報
【発明の概要】
【発明が解決しようとする課題】
【０００６】
それゆえに本発明は上記従来の問題点に鑑みてなされ、作業者の熟練度が低くても簡単に製造することができる釣竿用竿体とそれを用いた釣竿を提供することを課題とする。
【課題を解決するための手段】
【０００７】
本発明は上記課題を解決すべくなされたものであって、本発明に係る釣竿用竿体は、プリプレグから筒状に形成された本体層を備え、該本体層には、前後の部分の勾配よりも急勾配で後側に向けて内外径共に拡径する急拡径部が存在している釣竿用竿体であって、本体層は、一体的に加熱焼成された前後二つの筒状部から構成され、該前後二つの筒状部のうち、一方の筒状部は、径の変化が相対的に小さい小変化筒状部であり、他方の筒状部は、径の変化が相対的に大きい大変化筒状部であり、小変化筒状部は、プリプレグが複数回巻きとされた構成であり、大変化筒状部は、プリプレグが一回巻きとされた層が複数層積層された構成であることを特徴とする。尚、竿先側を前側とし、竿尻側を後側とする。また、急拡径部の前側の部分である小径部の勾配や、急拡径部の後側の部分である大径部の勾配は、何れも０であってもよい、即ち、ストレート形状であってもよい。
【０００８】
該構成の釣竿用竿体にあっては、本体層の全領域を一枚のプリプレグを複数回巻回して形成した一つの筒状部から構成するのではなく、本体層を前後二つの領域に分けて、各領域毎に異なる巻回条件で形成した前後二つの筒状部から本体層を構成している。即ち、一回の加熱焼成によって本体層を形成するのであるが、その本体層を、径の変化が相対的に小さい領域と、径の変化が相対的に大きい領域に分けて巻回作業を行うようにする。径の変化が相対的に小さい領域は、巻回する際にプリプレグにシワが入りにくくて巻回作業が相対的に容易であるため、プリプレグを複数回巻回して筒状部を形成する。この筒状部を小変化筒状部と称する。該小変化筒状部においては、プリプレグが複数回巻回されているので、その内周面にはプリプレグの巻き初めの端部が存在し、小変化筒状部の外周面には巻き終わりの端部が存在する。一方、径の変化が相対的に大きい領域は、巻回する際にプリプレグにシワが入りやすく巻回作業が相対的に難しいため、一周分の筒状の層を形成するようにプリプレグを一回巻きとしてその周方向の両端部を内外重ね合わせる。この作業を複数回繰り返して筒状部を形成する。この筒状部を大変化筒状部と称する。該大変化筒状部にはプリプレグの周方向の両端部が内外重ね合わせられた重ね合わせ部が各層に一箇所ずつ存在している。このように、本体層の全領域を径の変化が相対的に小さい領域と径の変化が相対的に大きいに分けて、径の変化が相対的に小さい領域についてはプリプレグを複数回巻きとし、径の変化が相対的に大きい領域についてはプリプレグを一回巻きとすることにより、急勾配で拡径する急拡径部が存在していてもプリプレグにシワが発生しにくくなる。
【０００９】
特に、小変化筒状部と大変化筒状部が前後にオーバーラップしており、該オーバーラップ部が急拡径部に位置していることが好ましい。小変化筒状部と大変化筒状部が前後にオーバーラップすることで小変化筒状部と大変化筒状部との一体性が高まり本体層の強度も高くなる。そして、そのオーバーラップ部を急拡径部に位置させることにより、応力が集中しやすい箇所である急拡径部をオーバーラップ部により効果的に補強することができる。
【００１０】
更に、オーバーラップ部において、大変化筒状部が径方向内側に位置し、小変化筒状部が径方向外側に位置していることが好ましい。上述したように、大変化筒状部は、プリプレグを一回巻きとして形成された一周分の筒状の層が多層積層された構成であるが、この大変化筒状部を形成するためのプリプレグの巻回作業を先に行うようにして、しかる後に、小変化筒状部を形成すべく、オーバーラップ部を形成するようにしながらプリプレグを複数回巻回すると、プリプレグの巻回作業を効率良く行うことができると共に、オーバーラップ部も綺麗に形成できる。
【００１１】
また、急拡径部より前側の部分である小径部と急拡径部より後側の部分である大径部のうち一方の部分が他方の部分よりも長く、一方の部分の方が小変化筒状部として構成され、他方の部分の方が大変化筒状部として構成されていることが好ましい。小径部と大径部のうち長い方が小変化筒状部となるように前後二つの領域に区分けして本体層を形成することにより、大変化筒状部を形成するためのプリプレグの竿軸方向の長さが相対的に短くなってその巻回作業が容易になり、また、小変化筒状部を形成するためのプリプレグの竿軸方向の長さが相対的に長くなって効率良く小変化筒状部を形成することができる。
【００１２】
また、大変化筒状部を構成するプリプレグには、小変化筒状部側の端部から竿軸方向に延びる切り込み線が形成されていることが好ましく、大変化筒状部を形成するためのプリプレグをシワなく容易に巻回することができる。
【００１３】
また、本発明に係る釣竿は、上述したような釣竿用竿体を備えたものである。
【発明の効果】
【００１４】
以上のように、本体層を前後二つの領域に分けて各領域毎にプリプレグの巻回状態を変えて形成した前後二つの筒状部から本体層を構成することにより、一枚のプリプレグを複数回巻回して形成した一つの筒状部から本体層の全領域を構成する場合に比して、プリプレグにシワが発生しにくく、熟練度の低い作業者であっても容易に製造することができる。
【図面の簡単な説明】
【００１５】
【図１】本発明の一実施形態における釣竿の要部を示す断面図。
【図２】同実施形態の釣竿に使用されている竿体を示す断面図。
【図３】図２のＡ部拡大図。
【図４】同実施形態の竿体の製造方法を示す正面図。
【図５】同実施形態の竿体に使用されるプリプレグの構成図。
【発明を実施するための形態】
【００１６】
以下、本発明の一実施形態に係る釣竿及びそれに使用されている竿体について図１〜図５を参酌しつつ説明する。図１に示すように、本実施形態における釣竿は、リールを取り付けるためのリールシート１を備えたものである。該リールシート１は、パイプシートとも称される筒状のものであって、リールシート本体１０と、可動フード体１１と、ナット１２とを備えている。リールシート本体１０は、合成樹脂等から成形により形成されたものであって、リールの脚部１００を載置するためのリール脚載置部１３と、リールの脚部１００の一方が差し込まれる固定フード部１４とを有している。尚、本実施形態ではスピニングリールを取り付けるためのリールシート１を例に説明しており、従って、図１に示すように、リールシート本体１０のリール脚載置部１３は使用状態において下側に位置する。また、リールシート本体１０の固定フード部１４は前側に位置している。リールシート本体１０の後部には雄ねじ部１５が形成されており、該雄ねじ部１５にナット１２が螺合している。ナット１２の前側に、リールの脚部１００の他方が差し込まれる可動フード体１１が位置している。可動フード体１１はナット１２に相対回転可能に係止されているので、ナット１２を回転させることで可動フード体１１は回転することなくナット１２と共に前後に移動する。該可動フード体１１を前側に移動させる、即ち、固定フード部１４に接近させることでリールの脚部１００を前後に狭持しつつリールシート本体１０に固定することができる。また、可動フード体１１を後側に移動させる、即ち、固定フード部１４から離反させることでリールの脚部１００の固定状態が解除されて、リールを釣竿から取り外すことができる。更に、リールシート１の前側にはフロントグリップ部７が設けられている。該フロントグリップ部７は、リールシート本体１０とは別体であって、ＥＶＡ等の発泡性合成樹脂やコルク等から形成されている。
【００１７】
このようにリールシート１が装着された釣竿は、竿本体２と、該竿本体２の後側に所定長さの重ね合わせ部４を形成するようにして接着され一体化されたリアグリップ竿体３とを備えている。重ね合わせ部４においては、竿本体２の後部が内側に位置し、その外側にリアグリップ竿体３の前部が位置している。
【００１８】
竿本体２は、所定形状に裁断されたシート状のプリプレグをマンドレルに巻回して筒状に形成した本体層を備えたものであって、プリプレグの強化繊維としてはカーボン繊維やガラス繊維等が使用でき、特にカーボン繊維が好ましく、またカーボン繊維を使用する場合にはその比率を高くすることが好ましい。リアグリップ竿体３も、所定形状に裁断されたシート状のプリプレグをマンドレルに巻回して筒状に形成した本体層を備えており、その本体層はリアグリップ竿体３の全長に亘って形成されているものであるが、その製法については後述する。
【００１９】
リアグリップ竿体３の肉厚は略一定であり、竿本体２の後部における肉厚と略等しい肉厚を有している。該リアグリップ竿体３にリアグリップ部５が一体的に形成されており、該リアグリップ部５がリールシート１の後側に位置している。該リアグリップ部５は、釣竿を持っている手の肘を当てたり、両手でキャストする場合にはリールシート１を持つ手とは反対側の手で把持したりして使用される。
【００２０】
図２に示しているように、リアグリップ竿体３の後部には前部の勾配よりも大きい急勾配で拡径した急拡径部３１が形成されており、該急拡径部３１によりリアグリップ竿体３の後部にリアグリップ部５が一体的に形成されている。即ち、リアグリップ竿体３は、前側から順に、所定長さの径一定のストレート形状即ち勾配０である小径部３０と、該小径部３０から急勾配で内外径共に拡径していく急拡径部３１と、該急拡径部３１から後方に所定長さ伸びる径一定のストレート形状即ち勾配０である大径部３２とから構成されている。この急拡径部３１の主として後部領域と大径部３２とからリアグリップ部５が構成されている。尚、大径部３２の長さは、小径部３０の長さよりも短く、急拡径部３１の長さよりも短い。また、リアグリップ竿体３の小径部３０にリールシート本体１０が装着され、リアグリップ竿体３は、その小径部３０において竿本体２と重ね合わせられている。尚、リアグリップ竿体３の後端には尻栓３３が装着されている。
【００２１】
より詳細には、リアグリップ竿体３は、図３に示すように、本体層７８とその径方向外側に積層された外層７９とからなる。本体層７８は、リアグリップ竿体３の全長に亘って形成されたものであって、プリプレグの巻回状態が異なる前後二つの筒状部からなる。即ち、本体層７８は、一体的に加熱焼成された小変化筒状部７０と大変化筒状部７１とからなり、小変化筒状部７０は本体層７８の全長のうち前側の領域を構成し、大変化筒状部７１は後側の領域を構成している。小変化筒状部７０は、径の変化が相対的に小さく、大変化筒状部７１は径の変化が相対的に大きい。この小変化筒状部７０と大変化筒状部７１は前後に所定長さに亘ってオーバーラップしており、該オーバーラップ部７２は急拡径部３１に位置している。従って、小変化筒状部７０は、小径部３０の全長と、急拡径部３１の前側部分を構成し、大変化筒状部７１は、大径部３２及び急拡径部３１の全長を構成する。また、オーバーラップ部７２においては、小変化筒状部７０が外側に位置し、大変化筒状部７１が内側に位置している。該オーバーラップ部７２における本体層７８の厚さは、その前後の小変化筒状部７０の厚さや大変化筒状部７１の厚さに比して若干厚くなっていて、これによりオーバーラップ部７２は急拡径部３１の補強部として機能している。
【００２２】
このようなリアグリップ竿体３の詳細構造をその製法と共に説明する。図４のように、マンドレル６０は、リアグリップ竿体３の形状に合わせた形状とされる。従って、マンドレル６０は、前側から順に小径部３０を形成するための第一の領域６１と、急拡径部３１を形成するための第二の領域６２と、大径部３２を形成するための第三の領域６３とを有する形状となっている。
【００２３】
本体層７８の後側の領域を構成する大変化筒状部７１は、二枚の大径用のプリプレグ７３から形成される。二枚の大径用のプリプレグ７３は互いに同一形状であって、該大径用のプリプレグ７３の後端部７３ｂはマンドレル６０の周方向に延びており前端部７３ａはマンドレル６０の周方向に対して所定角度傾斜している。即ち、この大径用のプリプレグ７３は幅方向両端部を上底及び下底とする台形であって、その幅Ｗ１（周方向の長さ）は、マンドレル６０の第三の領域６３を一周分巻回できる程度の寸法であり、その下底における全長Ｌ１（竿軸方向の長さ）は、大径部３２の長さと急拡径部３１の長さを足した長さに略等しいかそれよりも若干長い。また、大径用のプリプレグ７３には、その前端部７３ａから竿軸方向後方に向けて切り込み線７４が形成されている。該切り込み線７４は大径用のプリプレグ７３の全長の半分の長さを越えて後方に延びている。また、切り込み線７４は幅方向に間隔をおいて複数本形成されており、詳細には、大径用のプリプレグ７３の幅を五等分するように一定間隔毎に合計４本形成されている。このように切り込み線７４は複数本形成されることが好ましく、その複数本の切り込み線７４は大径用のプリプレグ７３の幅を等分割するように一定間隔毎に形成されることが好ましい。尚、大径用のプリプレグ７３には、図５に示すように強化繊維が竿軸方向に沿った縦シート８１と強化繊維が周方向に沿った横シート８２とを積層一体化させた積層シート８３を使用することが好ましい。その強化繊維としては、上述した竿本体２の場合と同様であってカーボン繊維等を使用できる。
【００２４】
一方、本体層７８の前側の領域を構成する小変化筒状部７０は、一枚の小径用のプリプレグ７５を複数回巻回することにより形成される。該小径用のプリプレグ７５は、その前端部７５ａがマンドレル６０の周方向に延びており、その後端部７５ｂはマンドレル６０の周方向に対して所定角度傾斜した形状であって、従って、小径用のプリプレグ７５もまた幅方向両端部を上底及び下底とする台形である。尚、小径用のプリプレグ７５の後端部７５ｂにおける周方向に対する傾斜角度は、大径用のプリプレグ７３の前端部７３ａにおける周方向に対する傾斜角度よりも大きい。また、小径用のプリプレグ７５の幅Ｗ２は小径部３０を複数回巻回できる程度の寸法であり、詳細には三回巻回できる程度の寸法であり、また、その下底における全長Ｌ２は、小径部３０の長さよりも長く、小径部３０の長さに急拡径部３１の例えば約半分の長さを足した長さを有している。但し、小径用のプリプレグ７５の下底における全長Ｌ２は、小径部３０の長さよりも長ければよく、小径部３０の長さを超える分の長さは任意であって、その超える部分の長さは、例えば急拡径部３１の全長分であってもよいし、急拡径部３１の前側の所定部分に相当する長さであってもよいが、好ましくは、小径用のプリプレグ７５の後側の先端が、大径用のプリプレグ７３の傾斜した前端部７３ａよりも後側の位置まで達するようにすることが好ましい。尚、小径用のプリプレグ７５には、大径用のプリプレグ７３と同様に縦シート８１と横シート８２とを積層一体化させた積層シート８３を使用してもよいし、その他、強化繊維が竿軸方向に引き揃えられたプリプレグ等の各種のプリプレグを使用することができる。その強化繊維としては、上述した竿本体２の場合と同様であってカーボン繊維等を使用できる。
【００２５】
次にマンドレルへの巻回工程について説明すると、まず初めに大径用のプリプレグ７３をマンドレル６０の第二の領域６２から第三の領域６３にかけて巻回する。大径用のプリプレグ７３をその幅方向両端部同士を内外重ね合わせるようにして一周分巻回して、一層目の筒状の層を形成する。該筒状の層には所定幅の重ね合わせ部が一箇所形成される。該一層目の筒状の層の上に更に二枚目の大径用のプリプレグ７３を同様に巻回して二層目の筒状の層を形成する。その際、二層目の重ね合わせ部が一層目の重ね合わせ部に対して周方向に位置ずれするように二層目の大径用のプリプレグ７３を巻回する。一層目と二層目の位相のずれは例えば１８０度とする。このようにしてマンドレル６０の後部所定領域に二枚の大径用のプリプレグ７３を巻回した後、その大径用のプリプレグ７３に所定長さオーバーラップするようにしながら小径用のプリプレグ７５をマンドレル６０の主として第一の領域６１に巻回する。この小径用のプリプレグ７５は複数回、具体的には三回巻回する。
【００２６】
このようにして本体層７８を形成した後、その外側に図示しないテープ状のプリプレグを全長に亘って螺旋状に巻回して、本体層７８の外側に外層７９を形成する。該テープ状のプリプレグはその長手方向に沿ってカーボン繊維等の強化繊維が引き揃えられたものであり、種々の厚さのものを使用できる。尚、テープ状のプリプレグは密巻に巻回することが好ましい。密巻とは隙間を空けない巻き状態であって且つオーバーラップすることがない状態で巻き付けていくことであり、この密巻によって外層７９が隙間なく一定厚さで形成される。その後、図示しない成形テープを巻き付けて締め付ける。該成形テープは所定幅の重なり部分を持たせながら竿軸方向の一方側から他方側に向けて螺旋状に巻回していく。そして加熱焼成した後、成形テープを除去してマンドレル６０を引き抜く。
【００２７】
このようにして形成されるリアグリップ竿体３にあっては、本体層７８を前後二つの領域に分けて構成し、そのうちの径の変化が大きい方の領域を構成している大変化筒状部７１については一周分の筒状の層を積層した構成とし、且つ、径の変化が小さい方の領域を構成している小変化筒状部７０については一枚のプリプレグを複数回巻回した構成としているので、本体層７８の全領域を一枚のプリプレグを複数回巻回した一つの筒状部から構成する場合に比して、大径用のプリプレグ７３や小径用のプリプレグ７５にシワが発生しにくくなり、熟練度が高くなくても容易に製造することができる。特に、大径用のプリプレグ７３に多数の切り込み線７４を形成しているので、シワの発生を容易に防止することができる。
【００２８】
また、大変化筒状部において一層目の筒状の層と二層目の筒状の層とを周方向に位置ずれさせているので、小径用のプリプレグ７５の重ね合わせ部が一層目と二層目で周方向にずれて分散され、大変化筒状部７１の肉厚を周方向に均一化しやすくなる。従って、一層目の重ね合わせ部と二層目の重ね合わせ部を１８０度対向させるようにすれば更にバランスが採れて好ましい。
【００２９】
また、小径部３０と大径部３２のうちの長い方である小径部３０側を小変化筒状部７０とし、短い方である大径部３２側を大変化筒状部７１としているので、大径用のプリプレグ７３が小径用のプリプレグ７５に比して短くなって巻回作業が容易になり、特に大径用のプリプレグ７３におけるシワの発生を抑制することができる。また、相対的に長い小径用のプリプレグ７５によって効率良く小変化筒状部７０を形成することができる。
【００３０】
また更に、小変化筒状部７０と大変化筒状部７１を前後にオーバーラップさせているので、小変化筒状部７０と大変化筒状部７１との一体性が高まり本体層７８の強度も高くなる。そして、オーバーラップ部７２を急拡径部３１に位置させているので、応力集中が発生しやすい急拡径部３１を若干厚肉となったオーバーラップ部７２により効果的に補強することができる。特に、オーバーラップ部７２において、大変化筒状部７１が径方向内側に位置し、小変化筒状部７０が径方向外側に位置しているので、小径用のプリプレグ７５を複数回巻回させながらオーバーラップ部７２を形成でき、オーバーラップ部７２が綺麗に仕上がる。
【００３１】
また、縦シート８０と横シート８１が予め積層されて一体化した積層シート８３を大径用のプリプレグ７３に使用した場合には、大変化筒状部７１の強度を容易に確保することができる。更に、積層シート８３を小径用のプリプレグ７５にも同様に使用した場合には、大変化筒状部７１と小変化筒状部７０の強度上の連続性も容易に確保できる。
【００３２】
尚、本実施形態では大変化筒状部７１を二層構造としたが三層以上の多層構造としてもよい。三層以上の多層構造とする場合には各層の重ね合わせ部が周方向に等間隔で配置されるようにすることが好ましい。また、小変化筒状部７０においては小径用のプリプレグ７５を三回巻きとしたがこの巻き数は任意であって二回巻きや四回巻き等であってもよい。
【００３３】
更に、大径用のプリプレグ７３や小径用のプリプレグ７５の形状についても適宜設計変更可能であって、上記説明では二枚の大径用のプリプレグ７３を同一形状としたが互いに異なる形状にしてもよい。また、大径用のプリプレグ７３に切り込み線７４を形成したがこれを省略してもよく、あるいは、切り込み線７４に代えて例えばＶ字状の切欠部を一箇所あるいは複数箇所設けるようにしてもよい。
【００３４】
また、オーバーラップ部７２において小変化筒状部７０を外側に大変化筒状部７１を内側に位置させたが、逆であってもよい。更に、オーバーラップ部７２の長さや厚さについても種々の変更が可能であり、オーバーラップ部７２を設けないようにしてもよい。また更に、小径部３０側を小変化筒状部７０とし、大径部３２側を大変化筒状部７１としたが、これも逆にしてもよい。
【００３５】
尚、小径部３０と大径部３２の勾配を何れも０としたが、小径部３０や大径部３２の勾配を０ではなく緩い勾配として、後側に向けて徐々に拡径する形状としてもよい。
【００３６】
また、上記実施形態ではリアグリップ竿体３に適用した場合について説明したが、リアグリップ竿体３には限られず、各種の竿体に使用することができる。また、リールを装着する釣竿について説明したが、のべ竿等のようにリールを装着しないタイプの釣竿であってもよい。
【００３７】
尚、本体層７８の内側に内層を形成してもよく、その内層も外層７９と同様にテープ状のプリプレグを螺旋状に巻回することにより形成できる。また、マンドレル６０にプリプレグを巻回して中空状の竿体とする以外に、ソリッド体の外側に本体層７８を形成して中実状の竿体としてもよい。
【符号の説明】
【００３８】
１    リールシート
２    竿本体
３    リアグリップ竿体
４    重ね合わせ部
５    リアグリップ部
７    フロントグリップ部
１０    リールシート本体
１１    可動フード体
１２    ナット
１３    リール脚載置部
１４    固定フード部
１５    雄ねじ部
３０    小径部
３１    急拡径部
３２    大径部
３３    尻栓
６０    マンドレル
６１    第一の領域
６２    第二の領域
６３    第三の領域
７０    小変化筒状部
７１    大変化筒状部
７２    オーバーラップ部
７３    大径用のプリプレグ
７３ａ  前端部
７３ｂ  後端部
７４    切り込み線
７５    小径用のプリプレグ
７５ａ  前端部
７５ｂ  後端部
７８    本体層
７９    外層
８１    縦シート
８２    横シート
８３    積層シート
１００    リールの脚部
【図１】
2014132857.tif 000003
【図２】
2014132857.tif 000004
【図３】
2014132857.tif 000005
【図４】
2014132857.tif 000006
【図５】
2014132857.tif 000007